(57)【特許請求の範囲】
【請求項１】
複数の載置面材の上面を横断するように可撓性テープ帯によって連結固定することによって上面が同一平面となり且つ隣接する載置面材の上面が重なり合う方向に折り曲げ自在に連結されてなる載置部と、
複数の脚面材の上面を横断するように可撓性テープ帯によって連結固定することによって表面が同一平面となり且つ隣接する脚面材の表面が重なり合う方向に折り曲げ自在に連結されてなる脚部と、
前記載置部の両端において、前記個々の載置面材と前記個々の脚面材とがそれぞれ対になって直角に折り曲げ自在に連結されることによって、載置部に対して脚部が直角に折り曲げられることを特徴とする携帯巻取テーブル。
【請求項２】
前記個々の載置面材と前記個々の脚面材とがそれぞれ可撓性テープ帯によって個々に連結されることを特徴とする請求項１に記載の携帯巻取テーブル。
【請求項３】
前記載置部に対して脚部が直角に折り曲げられる構成が、前記個々の載置面材と前記個々の脚面材との接続部位にそれぞれ４５度の傾斜面を具備していることを特徴とする請求項１または請求項２のいずれか一項に記載の携帯巻取テーブル。
【請求項４】
前記載置面材と脚面材の接続部位の傾斜面に磁石と着磁体を設けたことを特徴とする請求項１乃至請求項３のいずれか一項に記載の携帯巻取テーブル。
【請求項５】
前記載置部を構成する複数の載置面材及び前記脚部を構成する複数の脚面材が線状伸縮部材によって相互に密着する方向に付勢されていることを特徴とする請求項１乃至請求項４のいずれか一項に記載の携帯巻取テーブル。
【請求項６】
前記線状伸縮部材が、複数の載置面材及び脚面材の内部に形成している貫通穴に挿入していることを特徴とする請求項５に記載の携帯巻取りテーブル。
【請求項７】
前記線状伸縮部材が伸縮ゴム部材であることを特徴とする請求項５又は請求項６に記載の携帯巻取テーブル。
【請求項８】
前記線状伸縮部材が長尺なコイルバネであることを特徴とする請求項５又は請求項６に記載の携帯巻取テーブル。
【発明の詳細な説明】
【技術分野】
【０００１】
この発明は、携帯用として持ち運びに便利なように巻取りが可能で且つ折り畳みも可能な携帯用巻取テーブルに関する。
【背景技術】
【０００２】
テーブルは食事や読書、書き物をする場合、あるいは装飾品などの物置台として使用する場合等々において用いられていることは言うまでもないが、屋内外で使用される場合には、周囲の雰囲気に合うように、又、使用者の嗜好、経済的事情も考慮して種々選択使用される。しかし、テーブルの使用目的によっては、常時定位置で使用するとは限らないので、それが見込まれる場合には、移動に便利な簡易なテーブルが望まれる。
【０００３】
このような場合として、例えば、特許文献１に開示される携帯用組立てテーブルがある。この携帯用組立てテーブルは、野外での使用を前提に発明されているので、コンパクトに畳んで持ち運びができ、現地で組み立てて使用できる構成を採用している。具体的には、蝶番によって折畳自在なテーブル構成板を平らに広げてその裏面に形成している溝部に横桟を圧入することによって１枚のテーブル板を組立て、更にこの横桟に棒材を中央で十文字に交差して回動自在な脚部を取り付けることによって完成するテーブルである。そして、使用後は、各構成部材を取り外してから、１枚のテーブル板を構成するテーブル構成板を蝶番を中心に逆方向に回転させて中空状の角筒体を形成して、この角筒体の中空部分の内部に各構成部材を収納して、持ち運びや移動に便利な携帯用組立てテーブルとしたものである。
【先行技術文献】
【特許文献】
【０００４】
【特許文献１】特開昭６０−３６０１１
【発明の概要】
【発明が解決しようとする課題】
【０００５】
上記特許文献１の従来技術によると、テーブル板を構成しているテーブル構成板は、蝶番で回動自在に連結固定されているので、使用時には回転させて表面が平らになるようにして使用し、終了時には中空状の角筒状に蝶番を中心に反対側に回動させることによって折畳んで、その中空部に脚部などの棒状部材をコンパクトに収納して持ち運びできる。しかし、テーブル構成板回動に蝶番を用いているので、重量が重くなり、取付にねじ釘などを使用しなければならないので、製作に手数が掛かるという問題点がある。又、テーブル板と脚部が別部材であるので、部品点数が多くなることに加えて、使用時と解体時の取付解体作業が必要であり、更に、持ち運びには構成部材を折り畳んだ角筒体の中空状の空間内部に収納しなければならないという手数が掛かる問題点がある。加えて、脚部が棒材を十字に交差して回動自在に組み立てた構造であるので、重量物をテーブル板上に載置するためには、脚部の構造強化の必要があった。更に又、テーブル板の下方空間には左右２つの十字に組まれた脚部を連結するための長尺なボルト類が存在するので、下方空間の有効利用が図れないという問題点がある。
【解決するための手段】
【０００６】
この発明は上記事情に鑑みなされたものであって、その手段は次の通りである。即ち、  複数の載置面材の上面を横断するように可撓性テープ帯によって連結固定することによって上面が同一平面となり且つ隣接する載置面材の上面が重なり合う方向に折り曲げ自在に連結されてなる載置部と、
複数の脚面材の上面を横断するように可撓性テープ帯によって連結固定することによって表面が同一平面となり且つ隣接する脚面材の表面が重なり合う方向に折り曲げ自在に連結されてなる脚部と、
前記載置部の両端において、前記個々の載置面材と前記個々の脚面材とがそれぞれ対になって直角に折り曲げ自在に連結されることによって、載置部に対して脚部が直角に折り曲げられることを特徴とする携帯巻取テーブルとしたことにある。
【０００８】
更に、前記個々の載置面材と前記個々の脚面材とがそれぞれ可撓性テープ帯によって個々に連結されることにある。
【０００９】
更に又、前記載置部に対して脚部が直角に折り曲げられる構成が、前記個々の載置面材と前記個々の脚面材との接続部位にそれぞれ４５度の傾斜面を具備していることにある。
【００１０】
更に、前記載置面材と脚面材の接続部位の傾斜面に磁石と着磁体を設けたことにある。
【００１１】
又、前記載置部を構成する複数の載置面材及び前記脚部を構成する複数の脚面材が線状伸縮部材によって相互に密着する方向に付勢されていることにある。
【００１２】
又、前記線状伸縮部材が前記複数の載置面材及び脚面材の内部に形成している貫通穴に挿入していることにある。
【００１３】
更に、前記線状伸縮部材が伸縮ゴム部材であることにある。
【００１４】
更に又、前記線状伸縮部材が長尺なコイルバネであることにある。
【発明の効果】
【００１５】
本願発明の携帯巻取テーブルは、テーブルの載置面を構成する複数の載置面材の上面を横断するように可撓性テープ帯によって連結固定することによって、隣接する載置面材の上面が重なり合うように折り曲げ自在に連結されており、同様に、脚部を構成する複数の脚面材の上面を横断するように可撓性テープ帯によって連結固定することによって、隣接する脚面材の表面が重なり合うように折り曲げ自在に連結されているので、持ち運びする時には巻取りして丸められて嵩が小さくなるので移動時には袋に入れて肩に掛けるなどして移動でき楽で便利である。又、テーブルとして使用する際には、載置部の両端に折り曲げ自在に連結されている複数の脚面材を直角に折り曲げするだけでテーブルとなるので、組立後始末の作業が極めて楽で且つ簡単である。個々の載置面材と個々の脚面材が対となって連結されているので、載置部に掛かった重量は垂直状態の脚面材で全て受け止められるために安全である。更に、載置部の下方には空間が形成されているので物を入れたりするなど有効利用が出来る。
【００１６】
又、前記複数の載置面材の上面及び前記複数の脚面材の表面をそれぞれ横断するように可撓性テープ帯によって連結固定されているので、載置部及び脚部は一体感が出ると共に相互に隣接する側部で回動し易くなる。更に、前記個々の載置面材と前記個々の脚面材とがそれぞれ可撓性テープ帯によって個々に１対１で連結されることにより、載置部と脚部が折り曲げ自在に連結されるのに加えて、載置面材が丸められてゆく際に脚面材も同時に丸められる利点がある。更に又、前記個々の載置面材と前記個々の脚面材との接続部位にそれぞれ４５度の傾斜面を具備しているので、直角に曲げることが容易であることに加えて、載置部に掛った重量を脚部で受け止め易くなり、脚部が開く方向へ回転し難くなり安全である。更にこの向い合う傾斜面に磁石と被着磁金属を対向させておけばより離れにくくなり使用し易く且つ安全である。
【００１７】
又、前記載置部を構成する複数の載置面材及び前記脚部を構成する複数の脚面材が線状伸縮部材によって相互に密着する方向に付勢されていれば、相互に隣接する載置面材及び脚面材の密着が強くなると共に、巻取時における載置面材及び脚面材の上面又は表面が重なり合う方向に折り曲げ時の位置角度変化に伴う剥がれ防止に役立つ。この線状伸縮部材
伸縮ゴム部材である時には安価で製作できる。長尺なコイルバネである時には、丈夫で且つ長期間に亘って使用できる。更に又、線状伸縮部材を前記載置面材及び脚面材の内部に形成している貫通穴に挿入した場合には壊れることなく安全である。
【図面の簡単な説明】
【００１８】
【図１】この発明の実施形態の組立後の全体斜視図
【図２】図１の拡げた状態の平面斜視図
【図３】図１の拡げた状態の裏面斜視図
【図４】図２のＸ−Ｘ線断面図
【図５】載置部に対する脚部の折り曲げ初期要部説明図
【図６】載置部に対する脚部の折り曲げ完了要部説明図
【図７】図１の側面図
【図８】図４のＹ−Ｙ線断面図
【図９】巻取り初期状態の斜視説明図
【図１０】巻取後にカバーバッグに入れた状態の透視説明図
【図１１】車椅子での使用例図
【発明を実施するための形態】
【００１９】
この発明の最良の実施形態について図面に基づいて説明する。図１に示す組立後の全体斜視図に良く現われているように、この発明の携帯巻取テーブル１は、複数の載置面材２１からなる載置部２と、該載置部２の両端に回動自在に固定される前記載置面材２１と同数の脚面材３１からなる脚部３を主たる構成部材としている。前記載置面材２１及び脚面材３１は、表面が平らで横幅が４〜１０ｃｍ、厚さが１〜５ｃｍ、長さは載置面材２１が３０〜１００ｃｍ、脚面材３１は１０〜５０ｃｍ程度の範囲内の板材が好適に使用されるが、使用用途に応じてこの範囲を超えるものであっても良く特に限定されるものではない。又、載置面材２１、脚面材３１の数は特に限定されるものではなく、使用目的に応じて適宜選択されるがこの実施形態では１０枚としている。板材の材質としては、木材、竹材、天然樹脂、合成樹脂、軽金属などが使用目的に応じて適宜選択して使用される。
【００２０】
前記載置部２を構成する複数の載置面材２１は、図１、図２、図４などに良く現われているように、長手方向に密接して横方向に平らに並べた状態でそれらの上面２１ａを横断する方向に可撓性テープ帯４１によって連結固定されたものである。この可撓性テープ帯４１とそれぞれの載置面材２１との連結は、粘着剤によるもの、材質によってはビス止めしたものであっても良く連結固定の手段は問われないが、載置面材２１の上方には人が座ったり物品が載るので突部が生じないようなものが好ましい。この実施形態では、図に示されるように、３本の可撓性テープ帯４１がそれぞれの載置面材２１の上面２１ａを横断するようにして貼り付け固定されているので、載置面材２１は水平方向への相互移動はないが、隣接する載置面材２１の上面２１ａ同士が重なる方向に境界位置にある可撓性テープ帯４１を軸に回動出来る構造になっているため、載置面材２１の一端側から他端側へと簀子のように巻いて行くことができる。
【００２１】
前記脚部３を構成する複数の脚面材３１も、図１、図２、図４に良く現われているように、前記載置面材２１と同様に、その表面３１ａを横断する方向に可撓性テープ帯４２によって同様の手段で連結固定されるが、この実施態様では脚面材３１の長さが短いので載置面材２１側に隣接する端部側に１カ所のみに横断して可撓性テープ帯４２の横幅の半分が固定されている。そして、この横断した可撓性テープ帯４２の横幅の残りの半分は載置部２の端部の載置面材２１の上面２１ａを横断するように連結固定されていて、載置部２１の端部と脚面材３１の回動自在な連結構造を構築している。この連結固定によって隣接する脚面材３１の表面３１ａ同士が重なる方向に境界位置にある可撓性テープ帯４２を軸に回動出来る構造になっているために、前記のように載置面材２１が巻取りされる際にこの脚面材３１も一緒に巻き取られて行く。又、図１、図２に良く現われているように、可撓性テープ帯４２は、載置面材２１と脚面材３１の双方に跨て連結固定しているので、連結固定部分を補強するために押さえつけ部分が大きい頭部を有するピン５で可撓性テープ帯４２の連結固定を補強している。
【００２２】
前記載置部２の両端すなわち載置面材２１の両端には、上面２１ａから下面２１ｂに向かってから下面に向かって内側へ４５度内側に傾斜した傾斜面２１ｃが形成されている。一方、この載置部２の両端はそれぞれ脚部３と可撓性テープ帯４３によって連結固定されており、且つ、脚部３の連結側の端部は表面３１ａ側から裏面３１ｂ側に向かって４５度内側へ傾斜した傾斜面３１ｃを形成している。これによって載置部２に対して脚部３が載置部２と脚部３の境界位置にある可撓性テープ帯４２を軸に９０度即ち直角に回動出来るようになっている。そして、この回動軸となる可撓性テープ帯４２には載置部２に掛かる荷重の影響を受けることに対する強度補強のために、それぞれの載置面材２１と対となっている脚面材３１の傾斜面３１ｃにそれぞれ別々に跨るようにして補強用の可撓性テープ帯４３が連結固定されている。
【００２３】
前記可撓性テープ帯４１，４２，４３の材質としては、透明合成樹脂からなる厚手のシート状のものが好適に使用できるが、耐久性を増すために内部に金属や繊維からなる網状部材を入れて一体成型したものなどが好ましい。又、内側面には、強力な粘着剤を塗布したものが望ましい。その他として、動物の皮革、人工皮革、などを使用しても良く特に限定されるものではない。
【００２４】
前記載置面材２１の傾斜部２１ｃと前記脚面材３１の傾斜部３１ｃの密着を強固なものとするために、必要に応じて磁石６とこの磁石６に着磁する着磁体７が対となって対応する傾斜部２１ｃ、３１ｃに設けられている。対とする数は、全ての載置面材２１の傾斜部２１ｃと脚面材３１の傾斜部３１ｃでなくて一部でもよく、これらは磁石６の磁力や求める強度によって適宜選択される。
【００２５】
前記載置部２を構成する複数の載置面材２１は可撓性テープ帯４１によって連結固定されてはいるが、厚みのある載置面材２１の一方側の上面２１ａだけの連結固定であるので、隣接する載置面材２１の上面２１ａ同士が最初に重なり合う方向に巻いて行く際に、下面２１ｂ側が離れる方向へ移動するのを防止のため線状伸縮部材８によって引き付けるようにしている。この線状伸縮部材８としてはゴム材料、長尺なコイルバネが好適に挙げられる。載置部２を構成している載置面材２１の両端を互いに引き付けるように付勢するためにであるが、露出していると切れやすいので、図８に示すように、載置面材２１の内部に貫通穴９を形成しておき、その内部に線状伸縮部材８を通してその両端部を両端の載置面材２１に固定するようにするのが望ましい。載置部２が長い場合には図示のように長手方向側に２カ所の貫通穴９を開けておくことが望ましい。同様に、脚部３についても、脚部３を構成する脚面材３１に貫通穴９を形成してその内部に線状伸縮部材８を通しその両端を両側の脚面材３１に固定するようにしておくことが望ましい。
【００２６】
次に上記構成からなるこの発明の携帯巻取テーブル１の使用例について説明する。使用時には、載置部２の両端に可撓性テープ帯４１で連結固定されている複数の脚面材３１からなる脚部３を直角に折り曲げるだけでよい。この時に、載置面材２１の傾斜部２１ｃと脚面材３１の傾斜部３１ｃに磁石６と着磁体７が設けられている場合には、これらの着磁力によって直角の角度が載置部２に掛かる荷重の如何に関わらず安定して維持される。このテーブル１は、屋内で使用するテーブルとして或いはアウトドア用テーブルとして、更には、携帯が困難であった図１１に示すような車椅子Ａのテーブル用として使用できる。この使用例の場合には、脚部３の内側面が車椅子宇Ａの手摺部の外側に当たって左右方向移動が止められて安定する利点がある。
【００２７】
脚部３を構成する脚面材３１の長さを可変とすることで、例えば長くした時には立ちながら読書をしたり書き物をするテーブルとしても利用できる。また、脚面材３１の下部に装飾カバーを取り付けることでインテリアの効果も増すことが出来るし、或いは車輪を取り付けることによって荷物を運搬したり、病人のための食事セットを運ぶことにも応用できる。
【００２８】
使用後においては、脚部３を載置部２と同じ位置に戻して図２等に示されるように平面状にする。この時磁石６と着磁体７を用いていた時には戻し難くなるが、脚部３の先端をもって回転させれば容易に戻せる。そして、図９に示すように、載置面材２１の一端側から隣接する載置面材２１の上面２１ａが重なるようにして折り曲げて他端側まで巻いて行く。この時、載置面材２１は、載置面材２１の境界位置にある線状の部分を回転軸として回転してゆくが、厚さがあるから簀子のようには巻けないものの図１０に示すように大まかに丸く巻き取ることができる。この時、図９、１０に現れているように、線状伸縮部材８が伸びて露出していることから分かるように、載置面材２１の下面２１ｂ側を内側方向に縛るように付勢する作用をしているので丸くまとめ易くなっている。このように巻き取ってからカバーバッグ１０に入れて必要なら肩にかけて持ち運びすることができる。
【００２９】
以上の説明においては、可撓性テープ帯４１，４２，４３を用いて、複数の載置面材２１同士の連結固定、複数の脚面材３１同士の連結固定、あるいは、載置面材２１と脚面材３１の端部同士の連結固定について説明したが、この可撓性テープ帯に代えて、蝶番を使用しても良い。この場合には、小型の蝶番が多数必要となるので、取付作業に手間がかかるのに加えて、全体の重量が重くなるものの、構造が頑丈なものとなる利点がある。
【産業上の利用可能性】
【００３０】
この発明は、テーブルを巻取りして持ち運びできるために、携帯用として種々の目的のために活用することが出来ることから、多くの需要が見込まれ、これを生産し販売する産業の活性化が期待できる。
【符号の説明】
【００３１】
１      携帯巻取テーブル
２      載置部
２１    載置面材
２１ａ  上面
２１ｂ  下面
２１ｃ  傾斜面
３      脚部
３１    脚面材
３１ａ  表面
３１ｂ  裏面
３１ｃ  傾斜面
４１、４２、４３  可撓性テープ帯
５      ピン
６      磁石
７      着磁体
８      線状伸縮部材
９      貫通孔
１０    カバーバッグ
【要約】
【課題】
携帯用として持ち運びに便利なように巻取りが可能で且つ折り畳んで小さくできる携帯用巻取テーブルを提供すること。
【解決手段】
複数の載置面材２１の上面２１ａが同一平面となり且つ隣接する載置面材２１の上面２１ａが最初に重なり合う方向に折り曲げ自在に連結されてなる載置部2と、複数の脚面材３１の表面３１ａが同一平面となり且つ隣接する脚面材３１の表面３１ａが最初に重なり合う方向に折り曲げ自在に連結されてなる脚部３と、前記載置部２の両端において、前記個々の載置面材２１と前記個々の脚面材３１とがそれぞれ対になって直角に折り曲げ自在に連結されることによって、載置部２に対して脚部３が３直角に折り曲げられる携帯巻取テーブルとしたこと。
【選択図】図１【図１】
0006890734.tif 000002
【図２】
0006890734.tif 000003
【図３】
0006890734.tif 000004
【図４】
0006890734.tif 000005
【図５】
0006890734.tif 000006
【図６】
0006890734.tif 000007
【図７】
0006890734.tif 000008
【図８】
0006890734.tif 000009
【図９】
0006890734.tif 000010
【図１０】
0006890734.tif 000011
【図１１】
0006890734.tif 000012